(57)【要約】  本発明は、光学素子と、その作製方法と、この光学素子をアイソレータまたは偏光子として使用する使用方法に関する。電磁スペクトルの周波数窓に対する本発明の光学素子には、４分の１波長板の機能を有する第１コンポーネントと、円２色性を有しかつ第１コンポーネントに続く第２コンポーネントとが含まれる。第１コンポーネントに直線偏光波を当てると、上記の光学素子は光アイソレータとして使用されるが、第２コンポーネンに直線偏光波を当てると上記の光学素子は偏光子として使用される。光アイソレータとして使用される本発明の光学素子は、レーザの戻り結合を低減または抑圧するためにレーザシステムに使用可能である。さらにこれにより、所定の周波数窓において１方向だけから見て透明な窓が実現可能である。またこれによって赤外線の波長領域に対して単方向のイオン熱アイソレーションが得られる。
2010522891.tif 000002
【特許請求の範囲】
【請求項１】
電磁スペクトルの周波数窓に対する光学素子において、
該光学素子は、４分の１波長板の機能を備えた第１コンポーネントを有し、かつ当該第１コンポーネントに続きかつ円２色性を有する第２コンポーネントを含むことを特徴とする
光学素子。
【請求項２】
付加的に前記の第２コンポーネントに続く第３コンポーネントを有しており、
当該の第３コンポーネントは、４分の１波長板の機能を有しており、
当該の第３コンポーネントの光軸は、前記の第１コンポーネントの光軸に対して垂直に配置されている、
請求項１に記載の光学素子。
【請求項３】
付加的に前記の第１コンポーネントに続く第４コンポーネントを有しており、
当該の第４コンポーネントは偏光子の機能を有しており、
当該の第４コンポーネントは前記の第１コンポーネントに平行に配置されている、
請求項１に記載の光学素子。
【請求項４】
４分の１波長板として色消しまたは超色消し遅延プレートを有する、
請求項１から３までのいずれか１項に記載の光学素子。
【請求項５】
４分の１波長板として互いに平行に配置されたフィンからなる構造を有する、
請求項１から３までのいずれか１項に記載の光学素子。
【請求項６】
第２コンポーネントとしてキラルフォトニック結晶を有する、
請求項１から５までのいずれか１項に記載の光学素子。
【請求項７】
互いに平行に配置された多数の螺旋からなるフォトニック結晶を有し、
ここで当該フォトニック結晶の長手方向軸は前記の第１コンポーネントの光軸に対して垂直に配置されている、
請求項６に記載の光学素子。
【請求項８】
９０°とは異なる角度だけ互いに回転させた複屈折の非等方性層から構成されるフォトニック結晶を有する、
請求項６に記載の光学素子。
【請求項９】
第２コンポーネントとしてコレステリンの液晶を有する、
請求項１から５までのいずれか１項に記載の光学素子。
【請求項１０】
直接レーザ書き込みを用いてまたはホログラフィを用いて作製することを特徴とする、
請求項１から９までのいずれか１項に記載の光学素子を作製する方法。
【請求項１１】
前記の第２コンポーネントをコレステリン液晶の自己組織化によって作製する、
請求項９に記載の方法。
【請求項１２】
前記の第１コンポーネントに直線偏光波を当てて光アイソレータとして使用することを特徴とする、
請求項１から９までのいずれか１項に記載の光学素子の使用方法。
【請求項１３】
レーザにおける戻り結合を低減するために使用する、
請求項１２に記載の使用方法。
【請求項１４】
１方向における紫外線光、可視光または赤外線光の伝搬を低減するために使用する、
請求項１２に記載の使用方法。
【請求項１５】
前記の第２コンポーネントに直線偏光波を当てて偏光子として使用する、
請求項１から９までのいずれか１項に記載の光学素子の使用方法。
【発明の詳細な説明】
【技術分野】
【０００１】
本発明は、光学アイソレータまたは偏光子としての光学素子、その作製方法およびその使用方法に関する。
【０００２】
光学アイソレータは、所定の周波数窓内、例えば紫外線、可視および赤外線の周波数領域の電磁ビームを実質的にただ１つの方向に伝搬（伝播）させ、また逆方向に進む光波の透過を減衰させるかまたは完全に抑圧するという性質を有する。これによって光アイソレータは、例えば、殊に半導体レーザにおけるレーザ動作を大きく損なうレーザの戻り結合（Rueckkopplung）の問題を低減ないしは阻止するのである。
【０００３】
従来技術からはファラデー効果に基づく光学アイソレータが公知であり、ここでは静的な磁場によって光の偏光を回転させる。このようなファラデー素子を互いに４５°回転させた２つの偏光子の間に配置した場合、このファラデー素子によって偏光をちょうど４５°だけ回転させて往路および復路において合計して９０°になると、光学アイソレータが得られる。しかしながらファラデー効果には、上記の光学アイソレータを形成するために静的な磁場が必要である。
【０００４】
偏光子は、所定の周波数窓内の電磁ビーム、殊に紫外線、可視および赤外線の周波数領域の電磁ビームに一定の偏光状態にするという特性を有する。このため、偏光子はほとんどすべての光学構造に設けられるのである。
【０００５】
従来技術からはブルースター角に基づく偏光子が公知である。このため、このような偏光子は、垂直の入射からは大きく偏差した入射角で動作させなければならない。さらに偏光機能は、入射角に大きく依存してしまうのである。
【０００６】
J. Hwang，M.H. Song，B. Park，S. Nishimura，T. Toyooka，J. W. Wu，Y. Takanishi，K. IshikawaおよびH. TakezoeによるElectro-tunable optical diode based on photonic bandgap liquid-crystal heterojunctions，Nature Master. 4, p. 383，2005からは、円偏光ビーム用の光ダイオードが公知であるが、これは光のアイソレーションには適していない。例えば、右円偏光ビームがこの光ダイオードに当たると、この右円偏光ビームは透過する。この光ダイオードの後ろにミラーを配置すると、この右円偏光ビームは、左円偏光ビームに変換され、これは妨げられることなく上記の光ダイオードを通って伝搬することができる。しかしながら光アイソレータでは逆方向へのビームの伝搬は減衰されるかまたは完全に抑圧されなければならないのである。
【０００７】
上記のことから出発すると、本発明の課題は、光学素子と、その作製方法と、この光学素子を光アイソレータないしは偏光子として使用する方法を提案して、上述の欠点および制限を有しないようにすることである。
【０００８】
殊に上記の光学素子は、光アイソレータとして使用した際に静的な磁場が不要であるようにする。これによってこの光アイソレータは、一層コンパクトに構成することができ、また磁場の影響を受けやすい適用においても使用することができる。
【０００９】
上記の光学素子は、例えば、偏光子として使用される場合に上記のブルースター角ベースでないようにする。
【００１０】
上記の課題は、光学素子については請求項１の特徴部分に記載した特徴的構成によって解決され、作製方法については請求項１０または１１のステップによって解決され、また使用方法については、請求項１２および１５によって解決される。従属請求項にはそれぞれ本発明の有利な実施形態が記載されている。
【００１１】
本発明の光学素子には、コンパクトなフォトニックヘテロ構造が含まれており、このヘテロ構造は、設定可能な所定の周波数窓に対してアイソレータとして作用する。このヘテロ構造は、少なくとも２つのコンポーネントを有し、また第１コンポーネントは４分の１波長板の機能を有しており、また第２コンポーネントは円２色性を有する。
【００１２】
４分の１波長板（λ／４プレート）である第１コンポーネントの機能は、有利には色消しまたは超色消し性の遅延プレートの形態で、例えば石英およびＭｇＦ2から得られる。これによって上記の光学素子は、電磁スペクトルの殊に広い周波数窓にわたって使用することができる。
【００１３】
択一的な実施形態では、４分の１波長板である互いに平行に配置されたフィン（Lamelle）からなる構造が使用される。ここでこのフィンの高さは、電場の１成分が、この電場に垂直な成分に対して精確に４分の１波長だけ位相シフトされるように選択される。１５００ｎｍの周りの波長領域に対して可能な限り良好な効果を得るため、屈折率がｎ＝１．５７でありまたフィンの間隔が１μｍの場合に高さ４μｍのフィンが必要である。
【００１４】
上記の第２コンポーネントは、円２色性を有する材料からなる。すなわちこの第２コンポーネントは、右円偏光および左円偏光のビームを別個に通過（透過）させる。このような材料は、その鏡像と重ねることができないという特徴を有する。
【００１５】
有利な実施形態ではこのためにキラルフォトニック結晶を使用する。ここで殊に有利であるのは、互いに平行に配置された多数の螺旋を有しかつそれらの長手方向軸が上記の第１コンポーネントの光軸に対して垂直に配置されたフォトニック結晶である。
【００１６】
また上記に対して、９０°ではない角度だけ互いに回転した複屈折形の非等方性層から構成されるキラルフォトニック結晶を使用するのが有利である。
【００１７】
択一的な実施形態では、第２コンポーネントとしてトルマリンならびに所定の液晶、例えばコレステリンが有利である。後者は、例えば自己組織化によって作製される。
【００１８】
本発明による光学素子は、上記の第１コンポーネントまたは第２コンポーネントのいずれに直線偏光波を当てるか応じて、光アイソレータまたは偏光子として使用することができる。
【００１９】
前記の第１コンポーネントに直線偏光波を当てる場合、上記の光学素子は、光アイソレータになる。このような光アイソレータは基本的にあらゆるレーザシステムにおいてレーザの戻り結合を低減または抑圧するために使用可能である。近赤外領域での通信における半導体レーザでの使用が有利である。
【００２０】
本発明に基づく光アイソレータの動作の仕方はつぎのように説明することができる。４分の１波長板の光軸がビーム入射面に対して４５°に配向される場合、この４分の１波長板は、例えばレーザから発した入射直線偏光ビームから、円偏光ビームを形成する。この円偏光ビームは、続いてキラルコンポーネントに入射し、このキラルコンポーネントが右手系であるか左手系であるかに相応して透過するかまたは反射する。このキラルコンポーネントが右手系である場合、右に円偏光されたビームの伝搬が抑圧され、このキラルコンポーネントが左手系である場合、左に円偏光されたビームの伝搬が抑圧される。光アイソレータに戻るビームがちょうど逆の手系を有する場合、上記の装置の逆ではない特性が得られる。すなわちビームは、上記のアイソレータを通して逆方向に伝搬することができないのである。
【００２１】
第４コンポーネントとして付加的な偏光子を有する本発明の光アイソレータを用いれば、所定の周波数範囲内のビームが、上記のアイソレータを通過して逆方向に伝搬することが大いに低減されるかまたは完全に阻止される。したがって紫外線光または可視光に対する所定の周波数窓において１つの方向からだけ透過可能な窓が実現できるのである。これにより、赤外線の波長領域に調整すれば、一方向の熱アイソレーションが得られる。すなわちパッシブハウスにおいて熱放射は外から家の中に入るが、熱放射が家から出ることはできないのである。
【００２２】
上記の第２コンポーネントに直線偏光波が当たる場合、上記の光学素子は偏光子になり、偏光された紫外線光、可視光または赤外線光が形成される。
【００２３】
本発明に基づく偏光子の動作の仕方はつぎのように説明することができる。偏光されていない光が、円２色性を有するコンポーネントに当たると、このコンポーネントは、光の反射成分と透過成分とを形成する。ここでこれらの２つの成分は円偏光されている。上記の４分の１波長板の光軸が光入射面に対して４５°で配向される場合、この４分の１波長板は、円偏光ビームから直線偏光ビームを形成するのである。
【００２４】
第１および第２のコンポーネントを有しまた第１コンポーネントが円２色性を有しかつた第２コンポーネントが４分の１波長板である本発明の実施形態では、円偏光の反射成分と、直線偏光の透過成分とが得られる。
【００２５】
３つのコンポーネントを有する特別な実施形態では、第２コンポーネントに続く第３コンポーネントが設けられており、ここでも４分の１波長板から構成される第３コンポーネントの光軸は、第１コンポーネントの光軸に対して垂直に配置される。この場合、反射光も直線偏光されるが、透過した偏光に対して９０°だけ回転している。
【００２６】
本発明の光学素子は、直接レーザ書き込みによって作製可能である。大きな面積を作製するためには、いわゆる直接レーザ書き込みのマイクロレンズアレイまたはホログラフィック方式が有利である。考えられる別の方式は、ＧＬＡＤ（Glancing Angle Deposition）とも称されるストライプ状の角度での分離である。
【００２７】
本発明は、以下に説明する利点を有する。
【００２８】
光アイソレータとして使用される本発明による光学素子は、ファラデーアイソレータとは異なり、静的な磁場が不要である。静的な磁場を省略することによって、磁場の影響を受けやすい適用に使用することができ、また一層薄くかつ面積の大きな光アイソレータを作製することができる。これによって本発明の光アイソレータは、極めてコンパクトに作製することができる。このため、例えばレーザの出力結合ミラーの背後など、光学系への組み込みが簡単に可能となるのである。
【００２９】
偏光子として使用される本発明の光学素子は、垂直の入射とは大きく偏差している所定の入射角、ブルースター角で動作させる必要はない。入射角に対する偏光の依存性は、小さい角度に対してわずかである。
【図面の簡単な説明】
【００３０】
【図１】光アイソレータ（ａ）または偏光子（ｂ）として使用されかつ２つのコンポーネントからなる光学素子の概略図である。
【図２】３つのコンポーネントからなる光学素子の概略図である。
【図３】第４コンポーネントとして偏光子を有しかつ２つのコンポーネントとからなる光アイソレータによって構成される装置の概略図である。
【図４】フィン構造と螺旋構造を有しかつ２つのコンポーネントからなる光学素子の実施例を示す図である。
【図５】フィン構造と螺旋構造を有しかつ３つのコンポーネントからなる光学素子の実施例を示す図である。
【図６】光学素子の２つのコンポーネントについての別の実施例を示す図である。
【図７】２つのコンポーネントからなる光学素子の透過スペクトルを波長について示した線図である。
【００３１】
本発明を以下、実施例および図面に基づいて詳しく説明する。
【００３２】
図１ａ）には光アイソレータとして使用される本発明の光学素子が略示されている。ここで第１コンポーネント１である４分の１波長板には、直線偏光波１０が当てられる。またこの光学素子はさらに円２色性を有する第２コンポーネント２から構成される。
【００３３】
図１ｂ）には偏光子として使用される本発明の光学素子が略示されている。ここで円２色性を有する第２コンポーネント２には直線偏光波１０が当てられる。またこの光学素子はさらに第１コンポーネント１である４分の１波長板から構成される。
【００３４】
図２には本発明の光学素子が略示されており、この光学素子には直線偏光波１０が当たられ、またこの光学素子は、第１コンポーネント１である４分の１波長板と、円２色性を有する第２コンポーネント２と、第３コンポーネント３である別の４分の１波長板とから構成される。
【００３５】
図３には光学素子からなる本発明の装置が略示されており、この光学素子は、第１コンポーネント１である４分の１波長板と、円２色性を有する第２コンポーネント２とからなり、付加的に第４コンポーネントとして偏光子４を有する。
【００３６】
図４には光学素子の実施例が示されており、この光学素子は、基板５に配置されており、また第１コンポーネント１はフィン構造で、また第２コンポーネント２は螺旋構造で実施されている。第１コンポーネント１の光軸１１は、第２コンポーネント２の光軸１２に対して垂直である。このような光学素子は、実験室において直接レーザ書き込みによって作製される。
【００３７】
図５ａ）には光学素子の実施例が示されており、この光学素子は、基板５に配置されており、また第１コンポーネント１はフィン構造で、また第２コンポーネント２は螺旋構造で、さらに第３コンポーネント３も同様にフィン構造で実施されている。第１コンポーネント１の光軸１１は、第２コンポーネント２の光軸１２にも、第３コンポーネント３の同じ光軸１３にも垂直である。このような光学素子は、実験室において同様に直接レーザ書き込みによって作製される。
【００３８】
図５ｂ），ｃ）およびｄ）には通信の分野における光学素子の使用に対し、すなわち１０００ｎｍ〜１６００ｎｍの波長に対してキラルフォトニック結晶の螺旋構造の有利な設計が示されている。ここでは螺旋の間隔および周期は１μｍ〜１．５μｍ、有利には約１．２μｍとし、またこの螺旋の直径は、０．５μｍ〜１μｍの範囲とし、有利には約０．７２μｍとする。ボクセル形に対して直接レーザ書き込みにおいてに対してχ＝２の比を選択する。ここでは一般的にχ＝１〜χ＝５の比も同様に有利である。材料としてポリマフォトレジスト、例えばＳＵ−８，例えばＡｓ2Ｓ3などのカルコゲンガラスまたはケイ素が有利である。
【００３９】
図６には光学素子の第２コンポーネントに対する別の実施例が示されており、この第２コンポーネントはフォトニック結晶からなり、９０°ではない角だけ互いに回転された複屈折の非等方性層から構成されており、また基板に設けられている。多くの場合に９０°の角度を有するこのようなフォトニック結晶は、ウッドパイル（wood-pile）構造と称される。
【００４０】
図７には、１０００〜１７５０ｎｍの波長領域にわたって実験的に記録した本発明による光学素子の透過スペクトルが示されており、ここでこの光学素子は、負のポリマコートＳＵ−８（屈折率ｎ＝１．５７）からなる。図４にしたがい、１μｍの格子定数および４μｍの高さを有するフィン構造を４分の１波長板として使用する。１．２μｍの格子定数を有する螺旋構造は、キラル素子として使用される。
【００４１】
上記の透過スペクトルから明らかに分かるのは、入射光の振動面が４５°または−４５°の角度で入射する場合に透過性が１５００ｎｍ〜約１８００ｎｍの範囲ではっきりと変化することである。これに加えて主軸も９０°回転する。また期待通りにこれに相補的な結果が得られる。これによって証明されるのは、この光学素子が、１７０〜２００ＴＨｚの周波数窓における使用に適していることである。
【図１ａ）】
2010522891.tif 000003
【図１ｂ）】
2010522891.tif 000004
【図２】
2010522891.tif 000005
【図３】
2010522891.tif 000006
【図４】
2010522891.tif 000007
【図５ａ）】
2010522891.tif 000008
【図５ｂ）】
2010522891.tif 000009
【図５ｃ）】
2010522891.tif 000010
【図５ｄ）】
2010522891.tif 000011
【図６】
2010522891.tif 000012
【図７】
2010522891.tif 000013
【国際調査報告】
2010522891.tif 000014
2010522891.tif 000015
2010522891.tif 000016
2010522891.tif 000017
2010522891.tif 000018
2010522891.tif 000019